(57)【要約】【課題】  ラップフィルムを収納箱から迅速かつ確実に引き出したい。【解決手段】  底面板、左右の側面板および後面板、前面板とで構成され上方に開口する収納箱本体と、該収納箱本体の後面板上端から折り線を介して延出し前記開口部を開閉自在に覆う天板、この天板の前縁から延出し、閉じた状態で収納箱本体の前面板に重なる前板、及びこの前板の下端に取り付けられたフィルム切断用のカッターとを有する蓋体とからなるラップフィルムの収納箱において、収納箱本体Ａの前面板１４の上端からフラップ３を延出し、前方に折り返す。さらにそのフラップの本体３１の長手方向中央を幅方向先端縁から奥に向かって切り欠き、ラップフィルム先端部分の掴み部３３を形成する構成とした。【選択図】    図１
2006051959.tif 000002
【特許請求の範囲】
【請求項１】
底面板、左右の側面板および後面板、前面板とで構成され上方に開口する収納箱本体と、該収納箱本体の後面板上端から折り線を介して延出し前記開口部を開閉自在に覆う天板、この天板の前縁から延出し閉じた状態で収納箱本体の前面板に重なる前板、及びこの前板の下端に取り付けられたフィルム切断用のカッターとを有する蓋体とからなるラップフィルムの収納箱において、前記収納箱本体の前面板上端から延出し前方に折り返されたフラップを設け、且つ、このフラップの長手方向中央部分を幅方向に先端縁から内側に向かって切り欠いてラップフィルム端の掴み部を形成したことを特徴とするラップフィルムの収納箱。
【発明の詳細な説明】
【技術分野】
【０００１】
本発明は、主として食品包装に使用されるラップフィルムの収納箱に関する。
【背景技術】
【０００２】
従来のラップフィルム収納箱は、図７に示すように底面板８１と、これの周縁から立設する左右の側面板８２、８２および後面板８３、前面板８４とで構成され上方に開口する収納箱本体Ｃと、この開口部を開閉自在に覆う蓋体Ｄとからなるものである。
【０００３】
これの蓋体Ｄは、天板９１と左右の脇板９２、９２および前板９３とで構成され、天板９１の後縁は収納箱本体後面板８３の上端縁と折り線８３ａを介して連接している。
【０００４】
さらに前板９３は、閉じた状態で収納箱本体Ｃの前面板８４の上下方向略中央付近まで重なるようになっており、これの先端には鋸歯状に形成された金属板からなるラップフィルム切断用のカッター９４が長手方向略全長にわたって取り付けられている。
【０００５】
係る従来収納箱からラップフィルムを引き出すには次のような手順が用いられる。
【０００６】
まず蓋体Ｄを開成し、前回の使用時に前面板８４に貼り付いたままとなっているラップフィルムＦの先端縁Ｆａの中央部分を、爪もしくは指先を這わして少し浮かせ、指先を用いて摘み上げる。
【０００７】
次に、前記作業によって出来たフィルムＦと前面板８４との隙間に指を数本差し入れ、その指と親指の先から腹部までの全体を使うようにしてフィルムＦの先端部分を出来るだけ幅広く掴み直した後、必要な長さだけを引き出す。
【０００８】
そして蓋体Ｄを閉じ、ラップフィルムＦを水平方向に張った状態に保持しながら収納箱を前方に傾けてフィルム面にカッター９４の刃先を立てる。
【０００９】
最後に、収納箱をフィルムＦの引出し方向とは反対の方向に引っ張れば、カッター９４の位置でフィルムＦが切断されることになる。このとき、収納箱側に残ったラップフィルムＦの先端部分は、収納箱本体Ｃの前面板８４に貼り付いたままとなって次回の使用に備える。
【発明の開示】
【発明が解決しようとする課題】
【００１０】
しかしながら、係る従来収納箱には次のような問題があった。
【００１１】
（イ）前記したように、引き出す場合には、最初に前面板８４に貼り付いたラップフィルム先端縁Ｆａの中央部部分を爪もしくは指先を這わせて剥がし、軽く摘み上げてから再度、本格的に幅広く掴み直す必要があった。このため手間がかかって作業性が悪い。
【００１２】
（ロ）ラップフィルムＦを指先で摘み上げるため、フィルムの先端部が強く前面板８４に密着していると、持ち上げた際に中央のごく狭い範囲のみが先に持ち上がってしまい、フィルムの左右両端が接近して静電気によって密着し丸まるという不具合が生じやすい。この場合、丸まった部分を全て引き出し、切断廃棄してから再び引出し作業に取りかからねばならず、作業能率の低下に加えて経済的な損失も生じる。
【００１３】
本発明は、このような従来のラップフィルム収納箱の実態を鑑みてなされたものであって、その目的は迅速かつ簡単確実にフィルムを引き出すことができ、しかも引出し不良による損失のない収納箱を提供することにある。
【課題を解決するための手段】
【００１４】
前記目的を達成するために本発明は、底面板、左右の側面板および後面板、前面板とで構成され上方に開口する収納箱本体と、該収納箱本体の後面板上端から折り線を介して延出し前記開口部を開閉自在に覆う天板、この天板の前縁から延出し、閉じた状態で収納箱本体の前面板に重なる前板、及びこの前板の下端に取り付けられたフィルム切断用のカッターとを有する蓋体とからなるラップフィルムの収納箱において、前記収納箱本体の前面板上端から延出し前方に折り返されたフラップを設け、且つ、このフラップの長手方向中央部分を幅方向に先端縁から内側に向かって切り欠いてラップフィルム端の掴み部を形成したことを特徴とするものである。
【００１５】
本発明によれば、ラップフィルムを切断した後に収納箱側に残ったラップフィルムの先端部分は、前面板の前方に折り返されているフラップに貼り付くことになる。ただし、このときの中央は、切り欠いて形成されたラップフィルム端の掴み部にかかった状態にある。
【００１６】
新たにラップフィルムを引き出そうとする場合、まず、フラップを前面板から軽く遊離させる。そうすれば掴み部に掛かったラップフィルム端の中央が中空に位置することになるので、親指全体と他の指とを用いて直接幅広く掴むことができる。すなわちフィルム先端縁の引き剥がしおよび摘み上げの工程を省略することになるので作業性が良くなる。
【００１７】
なお、前面板からフラップを離してやるためには、フィルムを掴むほうの手の小指をフラップの下に差し入れて保持しておく方法や、収納箱本体を前方に軽く傾けてフラップの自重によって自然に離す方法があるが、あらかじめ前面板とフラップとの間に所定の角度が生じるように折返し部を形成しておき、蓋体Ｂを開成したときに、その弾性復元力によって自動的にフラップが浮き上がるようにしたものであってもよい。
【発明の効果】
【００１８】
以上説明したように本発明によれば、まず爪や指先を用いて摘まみ上げ、その後に掴み直すといった従来収納箱の手間を必要とせず、最初から直接幅広く掴むことができるので引出し作業を迅速におこなうことができる。
【００１９】
また、最初から幅広く掴んで引き剥がすのでフィルム角端同士の密着による丸まり不良が生じず、作業効率が高まるとともに経済的な損失がなくなる。    
【発明を実施するための最良の形態】
【００２０】
以下、本発明の実施の形態を図に基づいて説明する。
【実施例１】
【００２１】
図１は本案収納箱の全体斜視図、図２はラップフィルム先端部分を掴んで引き出すところを示す全体斜視図、図３は蓋体を開成した状態での断面図、図４は蓋体を閉じた状態での断面図、図５は分解斜視図である。
【００２２】
図１ないし図５において、符号Ａは本案収納箱の収納箱本体、Ｂは蓋体、Ｋは収納箱に収納されるラップフィルム巻回体を示している。
【００２３】
これらの基本構成は先に説明した従来収納箱と同じである。すなわち収納箱本体Ａは底面板１１、左右の側面板１２，１２および後面板１３、前面板１４とからなる上方に開口する長方形の箱状に形成されており、蓋体Ｂは天板２１、左右の脇板２２、２２および前板２３とで構成され、天板２１の後縁は収納箱本体Ａ側の後面板１３の上端縁と折り線１３ａを介して連接している。また前板２３は閉じた状態で収納箱本体Ａの前面板１４に重なるようになっており、これの下端には鋸歯状に形成された金属板からなるラップ切断用のカッター２４が取り付けられている。
【００２４】
そして上記構成に本案収納箱の特徴として付け加えているのが、収納箱本体Ａの前面板１４の上端から延出し前方に折り返されているフラップ３である。
【００２５】
このフラップ３は本実施例では別体として形成されており、収納箱の開口部の長手方向略全長にわたる長さ寸法を有するフラップ本体３１と、このフラップ本体３１を前面板１４に取り付けるための糊代部３２とで構成されている。
【００２６】
フラップ本体３１の長手方向中央部には、幅方向先端縁から内側に向かって略コ字形状、緩やかな奥すぼまりに切り欠いた掴み部３３が形成されており、切断されて残ったフィルムＦがフラップ本体３１に貼り付く際、端縁中央がこの掴み部３３に掛かるようになっている。
【００２７】
糊代部３２の裏面は収納箱本体の前面板１４の裏面に貼着固定されている。
【００２８】
次に、このラップフィルム収納箱の使用方法について重複する箇所も含め更に詳しく説明する。
【００２９】
本発明に係る収納箱では、ラップフィルムを切断した後に収納箱側に残ったラップフィルムＦの先端部分は、フラップ本体３１に貼り付いている。ただし、このときフィルムＦの先端部中央のみは掴み部３３に掛かっている。
【００３０】
新たにラップフィルムＦを引き出そうとする場合、まず蓋体Ｂを開成し、次に収納箱本体Ａを軽く前方に傾ける。
【００３１】
収納箱本体Ａを傾けてもフラップ本体３１は自重によって垂れ下がった状態のままであるので、相対的にみると前面板１４からフラップ本体３１が浮き上がった形となって、結果、掴み部３３に掛かったフィルムＦの先端部分中央は中空に位置することになる。
【００３２】
後は、この中空にあるフィルムＦの先端部分中央を親指と他の指を用いて幅広くしっかりと掴み、引出し作業をおこなえば良い。
【００３３】
従来収納箱では、フィルムを引出す前段階でまず指先や爪を用いたフィルム先端縁の引き剥がし作業をおこなわねばならなかったが、前記のように本発明では、その手間を必要とすることなく直接フィルムＦの先端部分を幅広くしっかりと掴むことができる。したがって作業性が向上する。
【００３４】
また幅広く掴んだ後にフラップから引き剥がすので、指先で摘み上げたときのようなフィルム両角端部の密着による丸まり不良が発生しない。
【００３５】
なお、フラップを切り欠いて形成する掴み部３３であるが、これの奥行きは、フラップ本体３１に貼りついたフィルムＦの先端部分をしっかりと掴めるだけの寸法を確保していることが必要であり、このためにはフィルム先端縁Ｆａの位置から更に親指幅分以上は深く切り込まれていることが望ましい。
【００３６】
また、掴み部３３の長手方向の寸法は、フィルム端を出来るだけ広く掴める長さ、具体的には親指の先端から腹部全体すなわち手首まででフィルムＦの先端部分上面を保持することのできる長さとして１５センチ程度以上あれば好適である。
【００３７】
フラップ３は本実施例に示したような別体として形成するものに限らず、収納部本体Ａと一体に形成し、単に外向きに折り返したものであってもよい。
【００３８】
ただ、この場合、折り返すことによって表面の化粧印刷層ではなく裏側無処理面が表側にでることになり美観が損なわれるので、表面となる部分に別途化粧印刷処理を施すか、フラップ３の先端縁から更に化粧印刷層のみを延出させ、これを折り返して表面となる部分に貼着する等の処理をしておくことが望ましい。また、別途形成した化粧用のシール部材を貼着するものであっても良い。
【実施例２】
【００３９】
図６は本発明の実施例２の蓋体を開成させた状態を示す断面図である。なお、ここでは煩雑さを避けるため前記実施例と比較して変更部分のみを別符号として付与した。
【００４０】
ここでのフラップ本体４１は、その中央のラップフィルム端縁Ｆａが貼着される位置よりも収納箱側寄りに長手方向にわたる山折り線４１ａを設け、側面視で中央部分が前方に向かって突出する略く字形状に形成されている。
【００４１】
これは、蓋体Ｂを閉じた際に、フィルムＦの先端部分を山折り線４１ａ部分と前板２３の裏面との間で挟持して巻き戻りを防ぐための効果を有する。
【００４２】
なお山折り線４１ａを、フィルム切り離しに用いるカッター２４の後端縁と前板２３との段差に引っ掛かるような位置および形状に設定しておけば、蓋体Ｂのロック効果も併せて生じさせることができる。更にこの際、前板２３にエンボス加工を施すことによって裏面側に突部を形成し、前記段差の代わりとしてもよい。
【図面の簡単な説明】
【００４３】
【図１】本発明を実施するための最良の形態のうち、実施例１の全体斜視図である。
【図２】実施例１のラップを引出そうとしている状態を示す全体斜視図である。
【図３】実施例１の蓋体を開成した状態を示す断面図である。
【図４】実施例１の蓋体を閉じた状態を示す断面図である。
【図５】実施例１の分解斜視図である。
【図６】実施例２の断面図である。
【図７】従来のラップフィルム収納箱を示す全体斜視図である。
【符号の説明】
【００４４】
Ａ、Ｃ・・・・・・収納箱本体
Ｂ、Ｄ・・・・・・蓋体
Ｋ・・・・・・・・ラップフィルム巻回体
１１、８１・・・・底面板
１２、８２・・・・側面板
１３、８３・・・・後面板
１４、８４・・・・前面板
２１、９１・・・・天板
２２、９２・・・・脇板
２３、９３・・・・前板
２４、９４・・・・カッター
３・・・・・・・・フラップ
３１・・・・・・・フラップ本体
３２・・・・・・・糊代部
３３・・・・・・・掴み部
【図１】
2006051959.tif 000003
【図２】
2006051959.tif 000004
【図３】
2006051959.tif 000005
【図４】
2006051959.tif 000006
【図５】
2006051959.tif 000007
【図６】
2006051959.tif 000008
【図７】
2006051959.tif 000009